(57)【要約】      （修正有）【課題】断熱効果や保温効果に優れ、使用する鍋の大小や片手鍋や両手鍋といった種類に使用を限定されなく、しかも安価に製造可能な調理兼保温容器を提供する。【解決手段】筒状外容器１と蓋２は、断熱効果や保温効果がある発泡樹脂を芯材とし、耐熱温度が１００℃以上あるポリプロピレン樹脂等を用いて外装とした素材を使用し、筒状外容器１には取手用の切り欠き部を２箇所設け、片手鍋、両手鍋のいずれでも対応できるようにした。また、筒状外容器１の中袋５は断熱効果や保温効果のある耐熱性の素材からなる鍋の高さ調節板９を鍋の高さに応じた枚数を使用する構造とすることにより高さの異なる鍋にも対応可能とした。さらに、筒状外容器の外装は塗装や合成樹脂または合成樹脂製の壁紙、耐熱性和紙、布、木・竹等を使用することにより簡易な構造かつ安価な材質でコストダウンを図る。【選択図】図１
0003155909.tif 000002
【実用新案登録請求の範囲】
【請求項１】
断熱効果や保温効果がある発泡樹脂を芯材とし、耐熱熱温度が１００℃以上あるポリプロピレン樹脂等を用いて外装とした素材からなる筒状外容器と、該筒状外容器の開口を開閉するための断熱効果や保温効果がある材質からなる蓋と、該筒状外容器の内部に断熱効果や保温効果のある耐熱性の素材を介して調理・保温用鍋を包み込めるよう縫製した中袋とからなる調理兼保温容器。
【請求項２】
前記筒状外容器が該調理兼保温容器に収納した調理・保温用鍋の取手のみが該筒状外容器の外に出るように対角線上を２箇所切り取った切り欠き部を有する構造であることを特徴とする請求項１記載の調理兼保温容器。
【請求項３】
前記中袋が、断熱効果や保温効果のある耐熱性の素材からなり、収納した調理・保温用鍋を十分に覆える高さを有し底のある筒状構造で、該中袋の筒状上部口の周囲に該中袋閉じ用の切り込みあるいは該中袋と同質の布を数枚縫い付けたような構造であることを特徴とする請求項１または請求項２記載の調理兼保温容器。
【請求項４】
前記中袋が、該中袋底面に敷く耐熱性の素材からなる円形または正方形等の底板と、調理・保温用鍋の高さ調節を目的とした断熱効果や保温効果がある耐熱性の素材からなる円形または正方形等の調整板数枚と、耐熱性の素材からなる円形または正方形等の中敷きとからなる構造であることを特徴とする請求項１または請求項２または請求項３記載の調理兼保温容器。
【請求項５】
前記中袋の高さ調整板が各々出し入れし易い指穴を有する構造であることを特徴とする請求項１または請求項２または請求項３または請求項４記載の調理兼保温容器。
【請求項６】
前記筒状外容器と該筒状外容器の蓋の外装が、塗装や合成樹脂または合成樹脂壁紙、耐熱性和紙、布、木・竹等或いは色つき発泡樹脂等からなる構造であることを特徴とする請求項１または請求項２または請求項３または請求項４または請求項５記載の調理兼保温容器。
【請求項７】
前記筒状外容器が接着テープや両面テープや凹凸ボタン等からなる該筒状外容器の蓋の固定具を有する構造であることを特徴とする請求項１または請求項２または請求項３または請求項４または請求項５または請求項６記載の調理兼保温容器。
【考案の詳細な説明】
【技術分野】
【０００１】  本考案は、日常使用している鍋に煮物材料と調味料および水等を入れ短時間沸騰させた後、鍋ごと本考案の容器に入れ保温しながら調理する調理兼保温容器に関するものである。
【背景技術】
【０００２】  一般に市販されている保温調理器具は、金属製の保温容器と、それ専用の調理鍋がセットになったものが主であり一般家庭で使用する調理器具より高価であるので一般家庭で使用するには制限される。
この対策として、発泡スチロールを使用した保温容器が提案されている（例えば特許文献１参照）が、耐熱性が不十分や片手鍋しか使用できないなどの問題があり、使用に制限が多く十分とはいえない。
【先行技術文献】
【特許文献】
【０００３】
【特許文献１】  特開２００３−９３２３８号  公報
【考案の概要】
【考案が解決しようとする課題】
【０００４】  従来の市販されている保温容器は、日常使用されている高さの異なる鍋や片手鍋、両手鍋のいずれにも対応できるというものではなく、専用鍋がセットされており高価である。
これらの欠点を解決しようとするものである。
また、社会情勢においても、生活習慣病予防のため日本食が見直されはじめ、手作りの大切さもクローズアップされている昨今、共働きや多忙なため調理に時間をかけたくない人も多く、また、高齢になると鍋を焦がすなど火災の心配も増え、本考案の調理兼保温容器は、これらの課題を解決すると同時に、短時間加熱した後、余熱を利用して調理するものであるため使用する熱源の節約にもなり、ＣＯ２排出をも減らして地球温暖化をくい止めようとする時代の流れにも沿ったものである。
【問題を解決するための手段】
【０００５】  本考案は、断熱効果や保温効果に優れ、使用する鍋の大小や片手鍋や両手鍋といった種類に使用を限定されなく、しかも安価に製造可能な調理兼保温容器を提供する。
本考案の調理兼保温容器は、筒状外容器と蓋と中袋からなる構造とし、筒状外容器と蓋は断熱効果や保温効果がある発泡樹脂を芯材とし、耐熱温度が１００℃以上あるポリプロピレン樹脂等を用いて外装した素材からなり、中袋は断熱効果や保温効果のある耐熱性の素材からなる構造として、断熱効果や保温効果を高めた。
つぎに、筒状外容器は、対角線上に２箇所の切り欠き部を設け両手鍋用への対応を可とし、中袋には高さ調節用板を数枚設け使用する鍋の高さに応じた対応を可能とした。
また、筒状外容器や蓋の外装についても、塗装や合成樹脂または合成樹脂壁紙、機能性和紙、布、木・竹等或いは色つきの発泡樹脂からなる構造とし、コストダウンを図った。
さらに、筒状外容器と蓋の外装は接着テープ、両面テープ、凹凸ボタン等の固定具を設け、使用が容易になり断熱・保温効果を高めることを可能とした。
【考案の効果】
【０００６】  今までは長時間かかっていた煮物や煮込み料理は、鍋の中に料理の材料を入れ水や必要とする各種調味料等を加えて加熱し、短時間煮沸させた後、本考案の調理兼保温容器に入れるだけなので、吹き零れや焦げつかせがなく、安全で清潔な調理が可能となるとともに、調理過熱時間も短縮されることから熱源の節約にもつながる。
諸事情により、家族一同で食事がとれなく、ばらばらの食事時間を余儀なくされている家族等にも温かい食事を提供することが可能となり、食生活の改善や生活時間と心のゆとりにもつながる。
【考案を実施するための最良の形態】
【０００７】  本考案の筒状外容器は断熱効果や保温効果がある発泡樹脂を芯材とし、断熱温度が１００℃以上あるポリプロピレン樹脂等を用いて外装した素材を使用し、該筒状外容器には蓋つきの片手鍋、両手鍋のどちらにも対応できるような対角線上の２箇所を四角く切り欠き、鍋の取手を出すような形態とする。
該筒状外容器の蓋は、該筒状外容器と同じ素材とし、該筒状外容器との接合部は密閉性を保てる構造とする。【０００８】  前記の筒状外容器の中袋は、収納した調理・保温用鍋を十分に覆える高さを有する底のある筒状構造で、その筒状上部口の周囲は切り込みを入れるか断熱布等熱を保持できる中袋閉じ用耐熱布を数枚縫い付けた形態とする。
該中袋の中に設けられた断熱効果や保温効果があり耐熱温度が１００℃以上ある発泡樹脂である発泡ポリプロピレン等を用いた鍋の高さ調節板には各々出し入れし易いよう指穴２個を設ける。
該鍋の高さ調節板の損傷を防ぐ中敷きは、耐熱性の素材を使用し、素材によって必要であれば指穴を設ける。
【実施例】
【０００９】  以下に、本考案の一実施例を、図面を参照して説明する。
図１は、本考案の一実施例を示す全体斜視図であり、図２は本考案の筒状外容器と蓋の斜視図であり、図３は本考案の筒状外容器に入れる中袋と該中袋に入れる底板、高さ調節板および中敷きの斜視図である。
図２において、上部が開口した筒状外容器１と蓋２は発泡ポリプロピレンを使用し、鍋の取手用切り欠き部３を設け、蓋２は茶筒の様に上からかぶせる形態とし筒状外容器１と蓋２の外装４には合成樹脂のポリプロピレン等を使用する。【００１０】  図３において、筒状外容器１の中に入れる断熱布の中袋５は、下部６を筒状に縫製し開口上部周囲に４枚の長方形等の断熱布７を縫い付け、底面に薄いポリプロピレンの底板８を敷き、その上に鍋の高さに応じて必要な枚数の発泡ポリプロピレンでできた高さ調節板９を入れ、最後に耐熱性の素材の中敷き１０をのせる。
本実施例では、断熱布は長方形で４枚であるが、用途を満たすことができれば形状および枚数は特に限定されるものではない。
また、高さ調節板９の枚数についても、本実施例では２枚であるが、鍋の高さ等に応じて増やすこともできる。【００１１】  筒状外容器１に、図３に示す中袋５を入れ、この中に鍋を入れ、鍋の蓋の上に中袋５の長方形の断熱布７を折り重ね、筒状外容器１の蓋２を閉めると図１のようになる。
【図面の簡単な説明】
【００１２】
【図１】  本考案の一実施例の全体斜視図である。
【図２】  本考案の筒状外容器と蓋の斜視図である。
【図３】  本考案の筒状外容器に入れる中袋と、該中袋に入れる底板、高さ調節の円板および中敷きの斜視図である。
【符号の説明】
【００１３】  １  筒状外容器
２  蓋
３  鍋の取手用切り欠き部
４  筒状外容器１と蓋２の外装部
５  中袋
６  中袋５の筒状に縫製した下部
７  中袋５の開口部周囲に縫い付けた断熱布
８  底板
９  高さ調節の円板
１０  中敷き
１１  筒状外容器１と蓋２を固定する接着テープのついたベルト
１２  ベルト１１を固定する接着テープ
【図１】
0003155909.tif 000003
【図２】
0003155909.tif 000004
【図３】
0003155909.tif 000005